(57)【要約】【課題】ジョブの処理開始を早め，ジョブの完了までの時間の短縮が期待できる画像処理システム，画像処理装置，および情報処理装置を提供すること。【解決手段】画像処理システムでは，モバイルデバイス１００およびＭＦＰ２００ともに，近距離通信と遠距離通信との２つの共通する無線通信に対応している。そして，ＭＦＰ２００に実行させるジョブの実行条件をモバイルデバイス１００が満たしている状態で，モバイルデバイス１００とＭＦＰ２００との間に，近距離通信が確立した場合，先ず，近距離通信によって，遠距離通信の確立に利用する接続情報と，一方の装置から得られる特定情報との受け渡しを行う。次に，受け渡された特定情報を利用して，モバイルデバイス１００とＭＦＰ２００との少なくとも一方で，ジョブを完了させるための処理の少なくとも一方を開始する。【選択図】            図４
2014090238.tif 000002
【特許請求の範囲】
【請求項１】
第１通信装置と，前記第１通信装置と通信を行う第２通信装置とを備える画像処理システムにおいて，
前記第１通信装置は，
第１の通信方式に従って無線通信を行う第１近距離通信部と，
前記第１の通信方式よりも通信距離が長い第２の通信方式に従って無線通信を行う第１遠距離通信部と，
を備え，
前記第２通信装置は，
前記第１の通信方式に従って無線通信を行う第２近距離通信部と，
前記第２の通信方式に従って無線通信を行う第２遠距離通信部と，
を備え，
前記第１通信装置と前記第２通信装置との一方の装置に実行させるジョブの実行条件を満たしている状態で，前記第１通信装置と前記第２通信装置との間に，前記第１の通信方式に従う無線通信である近距離通信が確立した場合，
前記近距離通信によって，前記第２の通信方式に従う無線通信である遠距離通信の確立に利用する接続情報と，前記第１通信装置から得られる特定情報との受け渡しを，前記第１通信装置と前記第２通信装置との間で実行する先行通信処理と，
前記特定情報の受け渡しを行った後，前記ジョブを完了させるための処理の少なくとも一部を開始する先行開始処理と，
前記接続情報の受け渡しを行った後，前記接続情報を利用して，前記第１通信装置と前記第２通信装置との間で前記遠距離通信を確立させる確立処理と，
前記遠距離通信によって，前記第１通信装置と前記第２通信装置との間で，前記ジョブに基づく画像データを受け渡す後続通信処理と，
を行うことを特徴とする画像処理システム。
【請求項２】
請求項１に記載する画像処理システムにおいて，
前記第１通信装置は，画像処理を行う画像処理装置であり，
前記第２通信装置は，前記第１通信装置に前記画像処理を実行させるジョブを受け付ける情報処理装置であり，
前記特定情報には，前記第１通信装置の能力情報が含まれることを特徴とする画像処理システム。
【請求項３】
請求項２に記載する画像処理システムにおいて，
前記先行開始処理では，前記ジョブの設定を前記特定情報に応じて前記第１通信装置の実行範囲内で選択する処理を，前記第２通信装置にて実行し，選択された設定に基づいて，前記ジョブを完了させるための処理の少なくとも一部を，前記第１通信装置にて開始することを特徴とする画像処理システム。
【請求項４】
請求項１から請求項３のいずれか１つに記載する画像処理システムにおいて，
前記第１通信装置は，画像処理を行う画像処理装置であり，
前記第２通信装置は，前記第１通信装置に前記画像処理を実行させるジョブを受け付ける情報処理装置であり，
前記特定情報には，前記第１通信装置の状態情報が含まれることを特徴とする画像処理システム。
【請求項５】
請求項１に記載する画像処理システムにおいて，
前記第２通信装置は，画像処理を行う画像処理装置であり，
前記第１通信装置は，前記第２通信装置に前記画像処理を実行させるジョブを受け付ける情報処理装置であり，
前記特定情報には，前記ジョブの実行に伴う画像処理の情報が含まれることを特徴とする画像処理システム。
【請求項６】
画像処理装置に画像処理を実行させるジョブを受け付ける受付部と，
第１の通信方式に従って無線通信を行う近距離通信部と，
前記第１の通信方式よりも通信距離が長い第２の通信方式に従って無線通信を行う遠距離通信部と，
制御部と，
を備え，
前記制御部は，前記画像処理装置に実行させるジョブの実行条件を満たしている状態で，前記画像処理装置との間に，前記第１の通信方式に従う無線通信である近距離通信が確立した場合に，
前記近距離通信によって，前記第２の通信方式に従う無線通信である遠距離通信の確立に利用する接続情報と，前記画像処理装置の情報である特定情報とを，前記画像処理装置から取得する先行通信処理と，
前記特定情報を取得した後，前記ジョブを完了させるための処理の少なくとも一部を開始する先行開始処理と，
前記接続情報を取得した後，前記接続情報を利用して，前記画像処理装置との間で前記遠距離通信を確立させる確立処理と，
前記遠距離通信によって，前記画像処理装置との間で，前記ジョブに基づく画像データを受け渡す後続通信処理と，
を行うことを特徴とする情報処理装置。
【請求項７】
請求項６に記載する情報処理装置において，
前記先行開始処理では，前記特定情報に応じた圧縮率で画像データを圧縮する処理を開始することを特徴とする情報処理装置。
【請求項８】
請求項６または請求項７に記載する情報処理装置において，
前記先行開始処理では，前記特定情報に応じたデータ形式に画像データを変換する処理を開始することを特徴とする情報処理装置。
【請求項９】
請求項６から請求項８のいずれか１つに記載する情報処理装置において，
前記先行開始処理では，前記特定情報に応じてカラー画像データをモノクロ画像データに変換する処理を開始することを特徴とする情報処理装置。
【請求項１０】
請求項６から請求項９のいずれか１つに記載する情報処理装置において，
前記制御部は，
前記先行通信処理にて前記特定情報の受け渡しを行った後，前記後続通信処理にて前記画像データを受け渡す前に，前記特定情報に応じたジョブの設定をユーザに入力させる画面を表示する表示処理
を行うことを特徴とする情報処理装置。
【請求項１１】
画像処理装置に画像処理を実行させるジョブを受け付ける受付部と，
第１の通信方式に従って無線通信を行う近距離通信部と，
前記第１の通信方式よりも通信距離が長い第２の通信方式に従って無線通信を行う遠距離通信部と，
制御部と，
を備え，
前記制御部は，前記画像処理装置に実行させるジョブの実行条件を満たしている状態で，前記画像処理装置との間に，前記第１の通信方式に従う無線通信である近距離通信が確立した場合に，
前記近距離通信によって，前記第２の通信方式に従う無線通信である遠距離通信の確立に利用する接続情報を前記画像処理装置から取得し，前記ジョブの実行に伴う画像処理の情報である特定情報を前記画像処理装置へ送信する先行通信処理と，
前記接続情報を取得した後，前記接続情報を利用して，前記画像処理装置との間で前記遠距離通信を確立させる確立処理と，
前記遠距離通信によって，前記画像処理装置との間で，前記ジョブに基づく画像データを受け渡す後続通信処理と，
を行うことを特徴とする情報処理装置。
【請求項１２】
第１の通信方式に従って無線通信を行う近距離通信部と，
前記第１の通信方式よりも通信距離が長い第２の通信方式に従って無線通信を行う遠距離通信部と，
画像処理を実行する画像処理部と，
制御部と，
を備え，
前記制御部は，前記画像処理部に実行させるジョブの実行条件を満たしている状態で，情報処理装置との間に，前記第１の通信方式に従う無線通信である近距離通信が確立した場合に，
前記近距離通信によって，前記第２の通信方式に従う無線通信である遠距離通信の確立に利用する接続情報を前記情報処理装置へ送信し，前記ジョブの実行に伴う画像処理に関する情報である特定情報を前記情報処理装置から取得する先行通信処理と，
前記特定情報を取得した後，前記ジョブを完了させるための処理の少なくとも一部を開始する先行開始処理と，
前記接続情報を送信した後，前記接続情報を利用して，前記情報処理装置との間で前記遠距離通信を確立させる確立処理と，
前記遠距離通信によって，前記情報処理装置との間で，前記ジョブに基づく画像データを受け渡す後続通信処理と，
を行うことを特徴とする画像処理装置。
【請求項１３】
請求項１２に記載する画像処理装置において，
シートに記録された画像を読み取る読取部を備え，
前記先行開始処理では，前記特定情報によって特定される画像処理が読み取りであった場合に，前記読取部の読み取り動作を開始することを特徴とする画像処理装置。
【請求項１４】
請求項１２または請求項１３に記載する画像処理装置において，
シートに画像を印刷する印刷部を備え，
前記先行開始処理では，前記特定情報によって特定される画像処理が印刷であった場合に，前記印刷部の起動動作を開始することを特徴とする画像処理装置。
【請求項１５】
請求項１４に記載する画像処理装置において，
前記先行開始処理では，前記特定情報によって特定される画像処理がカラー印刷であった場合に，前記印刷部の補正動作を開始することを特徴とする画像処理装置。
【請求項１６】
第１の通信方式に従って無線通信を行う近距離通信部と，
前記第１の通信方式よりも通信距離が長い第２の通信方式に従って無線通信を行う遠距離通信部と，
画像処理を実行する画像処理部と，
制御部と，
を備え，
前記制御部は，前記画像処理部に実行させるジョブの実行条件を満たしている状態で，情報処理装置との間に，前記第１の通信方式に従う無線通信である近距離通信が確立した場合に，
前記近距離通信によって，前記第２の通信方式に従う無線通信である遠距離通信の確立に利用する接続情報と，自装置の情報である特定情報とを，前記情報処理装置へ送信する先行通信処理と，
前記接続情報を送信した後，前記接続情報を利用して，前記情報処理装置との間で前記遠距離通信を確立させる確立処理と，
前記遠距離通信によって，前記情報処理装置との間で，前記ジョブに基づく画像データを受け渡す後続通信処理と，
を行うことを特徴とする画像処理装置。
【発明の詳細な説明】
【技術分野】
【０００１】
本発明は，印刷や読み取り等の画像処理機能を有する画像処理装置，情報処理装置および画像処理システムに関する。さらに詳細には，複数の無線通信方式を利用して，画像処理装置と情報処理装置との間でデータ通信を行ってジョブを実行する技術に関するものである。
【背景技術】
【０００２】
近年，スマートフォンやタブレットＰＣに代表される電子機器と，スキャナやプリンタに代表される画像処理装置との通信には，Bluetooth（登録商標），ＷｉＦｉ（登録商標），ＮＦＣ（Near Field Communication）等，複数の無線通信方式が採用されている。ところで，無線通信の技術においては，例えば，始めにＮＦＣを用いて認証情報あるいは設定情報を交換し，その後，ＮＦＣよりも高速で通信距離が長い他の通信方式に通信を切り換える，いわゆるハンドオーバー技術が提案されている。
【０００３】
例えば，特許文献１には，通信装置１と通信装置２とのデータ通信に関する技術であって，通信装置１は，始めに近距離無線通信によって通信装置２から通信方式と暗号化方式とを取得し，取得した通信方式および暗号化方式が通信装置１に定められた通信方式および暗号化方式に合致した場合には，その通信方式および暗号化方式で通信装置２とのデータ通信を行うことが開示されている。
【先行技術文献】
【特許文献】
【０００４】
【特許文献１】特開２００７−１６６５３８号公報
【発明の概要】
【発明が解決しようとする課題】
【０００５】
しかしながら，前記した従来の技術には，次のような問題があった。すなわち，ハンドオーバーを行って通信を確立させてからスキャンや印刷を行う場合，始めの近距離無線通信では接続情報しかやり取りされていないため，通信方式が遠距離無線通信に切り換わった後にジョブの実行開始に必要な情報がやり取りされる。そのため，ユーザの待ち時間が長い。
【０００６】
本発明は，前記した従来の技術が有する問題点を解決するためになされたものである。すなわちその課題とするところは，ジョブの処理開始を早め，ジョブの完了までの時間の短縮が期待できる画像処理システム，画像処理装置，および情報処理装置を提供することにある。
【課題を解決するための手段】
【０００７】
この課題の解決を目的としてなされた画像処理システムは，第１通信装置と，前記第１通信装置と通信を行う第２通信装置とを備える画像処理システムであって，前記第１通信装置は，第１の通信方式に従って無線通信を行う第１近距離通信部と，前記第１の通信方式よりも通信距離が長い第２の通信方式に従って無線通信を行う第１遠距離通信部とを備え，前記第２通信装置は，前記第１の通信方式に従って無線通信を行う第２近距離通信部と，前記第２の通信方式に従って無線通信を行う第２遠距離通信部とを備え，前記第１通信装置と前記第２通信装置との一方の装置に実行させるジョブの実行条件を満たしている状態で，前記第１通信装置と前記第２通信装置との間に，前記第１の通信方式に従う無線通信である近距離通信が確立した場合，前記近距離通信によって，前記第２の通信方式に従う無線通信である遠距離通信の確立に利用する接続情報と，前記第１通信装置から得られる特定情報との受け渡しを，前記第１通信装置と前記第２通信装置との間で実行する先行通信処理と，前記特定情報の受け渡しを行った後，前記ジョブを完了させるための処理の少なくとも一部を開始する先行開始処理と，前記接続情報の受け渡しを行った後，前記接続情報を利用して，前記第１通信装置と前記第２通信装置との間で前記遠距離通信を確立させる確立処理と，前記遠距離通信によって，前記第１通信装置と前記第２通信装置との間で，前記ジョブに基づく画像データを受け渡す後続通信処理とを行うことを特徴としている。
【０００８】
本明細書で開示される画像処理システムでは，第１通信装置および第２通信装置ともに，第１の通信方式に従う無線通信である近距離通信と第２の通信方式に従う無線通信である遠距離通信との無線通信に対応している。第１通信装置および第２通信装置は，一方の装置がジョブの実行を命令する装置（例えばモバイルデバイス）であり，他方の装置がジョブを実行する側の装置（例えば複合機）である。
【０００９】
そして，本明細書で開示される画像処理システムでは，一方の装置に実行させるジョブの実行条件を満たしている状態で，第１通信装置と第２通信装置との間に，近距離通信が確立した場合，先ず，近距離通信によって，遠距離通信の確立に利用する接続情報と，第１通信装置から得られる特定情報との受け渡しを行う。ジョブの実行条件を満たしている状態とは，例えば一方の装置に実行させるジョブが確定している状態，あるいは，さらにそのジョブの実行が当該一方の装置で可能な状態が該当する。特定情報としては，例えば，第１通信装置がジョブを実行する側の装置であれば，第１通信装置の能力情報や状態情報が該当し，第１通信装置がジョブの実行を命令する側の装置であれば，印刷，スキャン等の画像処理に関する情報が該当する。次に，受け渡された特定情報を利用して，第１通信装置と第２通信装置との少なくとも一方で，ジョブを完了させるための処理の少なくとも一部を開始する。ジョブを完了させるための処理としては，例えば，ジョブの設定変更の受け付け，第１通信装置に送信するデータの生成，読取部のキャリブレーション，読み取り，プロセス部のウォーミングアップが該当する。
【００１０】
すなわち，本明細書で開示される画像処理システムでは，近距離通信によって接続情報を受け渡す際に，ジョブの実行に利用される特定情報も受け渡すことで，遠距離通信を確立させる前であっても，ジョブを完了させるための処理の少なくとも一部を開始することができる。この構成のように，遠距離通信の確立を待つことなくジョブを完了させるための処理を開始することで，ジョブの完了までに必要な時間の短縮が期待できる。
【００１１】
また，本明細書で開示される画像処理システムでは，前記第１通信装置が画像処理を行う画像処理装置であり，前記第２通信装置が前記第１通信装置に前記画像処理を実行させるジョブを受け付ける情報処理装置であり，前記特定情報には，前記第１通信装置の能力情報が含まれるとよい。能力情報には，例えば，印刷用の画像データのフォーマット，カラー処理の可否，対応解像度が含まれる。画像処理装置の能力情報を受け渡すことで，情報処理装置では，ジョブを完了させるための処理として，例えば，画像処理装置の能力に不適切な設定を防ぐ処理を実行することができる。不適切な設定を防ぐ処理としては，例えば適切な設定の自動選択や，不適切な設定のユーザ選択の禁止が該当する。
【００１２】
また，前記先行開始処理では，前記ジョブの設定を前記特定情報に応じて前記第１通信装置の実行範囲内で選択する処理を，前記第２通信装置にて実行し，選択された設定に基づいて，前記ジョブを完了させるための処理の少なくとも一部を，前記第１通信装置にて開始するとよい。ジョブの設定を認識できれば，遠距離通信の確立を待たなくても，その設定に適した画像処理動作あるいはその画像処理を行うための初期動作を開始できる。
【００１３】
また，本明細書で開示される画像処理システムでは，前記第１通信装置が画像処理を行う画像処理装置であり，前記第２通信装置が前記第１通信装置に前記画像処理を実行させるジョブを受け付ける情報処理装置であり，前記特定情報には，前記第１通信装置の状態情報が含まれるとよい。状態情報には，例えば，エラー情報，消耗品の有無が含まれる。画像処理装置の状態情報を受け渡すことで，情報処理装置では，ジョブを完了させるための処理として，例えば，画像処理装置の状態に不適切な設定を防ぐ処理を実行することができる。不適切な設定を防ぐ処理としては，例えば適切な設定の自動選択や，不適切な設定のユーザ選択の禁止が該当する。
【００１４】
また，本明細書で開示される画像処理システムでは，前記第２通信装置が画像処理を行う画像処理装置であり，前記第１通信装置が前記第２通信装置に前記画像処理を実行させるジョブを受け付ける情報処理装置であり，前記特定情報には，前記ジョブの実行に伴う画像処理の情報が含まれるとよい。情報処理装置からジョブの実行に伴う画像処理の情報を受け渡すことで，画像処理装置では，ジョブを完了させるための処理として，例えば，その画像処理の準備動作を実行することができる。
【００１５】
また，本明細書では，画像処理装置に画像処理を実行させるジョブを受け付ける受付部と，第１の通信方式に従って無線通信を行う近距離通信部と，前記第１の通信方式よりも通信距離が長い第２の通信方式に従って無線通信を行う遠距離通信部と，制御部とを備え，前記制御部は，前記画像処理装置に実行させるジョブの実行条件を満たしている状態で，前記画像処理装置との間に，前記第１の通信方式に従う無線通信である近距離通信が確立した場合に，前記近距離通信によって，前記第２の通信方式に従う無線通信である遠距離通信の確立に利用する接続情報と，前記画像処理装置の情報である特定情報とを，前記画像処理装置から取得する先行通信処理と，前記特定情報を取得した後，前記ジョブを完了させるための処理の少なくとも一部を開始する先行開始処理と，前記接続情報を取得した後，前記接続情報を利用して，前記画像処理装置との間で前記遠距離通信を確立させる確立処理と，前記遠距離通信によって，前記画像処理装置との間で，前記ジョブに基づく画像データを受け渡す後続通信処理とを行うことを特徴とする情報処理装置が開示される。
【００１６】
また，本明細書で開示される情報処理装置の前記先行開始処理では，前記特定情報に応じた圧縮率で画像データを圧縮する処理を開始するとよい。遠距離通信の確立を待つことなく画像データの圧縮を開始することで，遠距離通信の確立後，早期に画像データを受け渡すことが期待できる。
【００１７】
また，本明細書で開示される情報処理装置の前記先行開始処理では，前記特定情報に応じたデータ形式に画像データを変換する処理を開始するとよい。遠距離通信の確立を待つことなく画像データのフォーマット変換を開始することで，遠距離通信の確立後，早期に画像データを受け渡すことが期待できる。
【００１８】
また，本明細書で開示される情報処理装置の前記先行開始処理では，前記特定情報に応じてカラー画像データをモノクロ画像データに変換する処理を開始するとよい。遠距離通信の確立を待つことなく画像データのカラー変換を開始することで，遠距離通信の確立後，早期に画像データを受け渡すことが期待できる。
【００１９】
また，本明細書で開示される情報処理装置の前記制御部は，前記先行通信処理にて前記特定情報の受け渡しを行った後，前記後続通信処理にて前記画像データを受け渡す前に，前記特定情報に応じたジョブの設定をユーザに入力させる画面を表示する表示処理を行うとよい。特定情報に応じたジョブの設定を遠距離通信の確立前に入力させることで，遠距離通信の確立後にジョブの設定を入力させる場合と比較して，ジョブの完了までに必要な時間の短縮が期待できる。
【００２０】
また，本明細書では，画像処理装置に画像処理を実行させるジョブを受け付ける受付部と，第１の通信方式に従って無線通信を行う近距離通信部と，前記第１の通信方式よりも通信距離が長い第２の通信方式に従って無線通信を行う遠距離通信部と，制御部とを備え，前記制御部は，前記画像処理装置に実行させるジョブの実行条件を満たしている状態で，前記画像処理装置との間に，前記第１の通信方式に従う無線通信である近距離通信が確立した場合に，前記近距離通信によって，前記第２の通信方式に従う無線通信である遠距離通信の確立に利用する接続情報を前記画像処理装置から取得し，前記ジョブの実行に伴う画像処理の情報である特定情報を前記画像処理装置へ送信する先行通信処理と，前記接続情報を取得した後，前記接続情報を利用して，前記画像処理装置との間で前記遠距離通信を確立させる確立処理と，前記遠距離通信によって，前記画像処理装置との間で，前記ジョブに基づく画像データを受け渡す後続通信処理とを行うことを特徴とする情報処理装置が開示される。
【００２１】
また，本明細書では，第１の通信方式に従って無線通信を行う近距離通信部と，前記第１の通信方式よりも通信距離が長い第２の通信方式に従って無線通信を行う遠距離通信部と，画像処理を実行する画像処理部と，制御部とを備え，前記制御部は，前記画像処理部に実行させるジョブの実行条件を満たしている状態で，情報処理装置との間に，前記第１の通信方式に従う無線通信である近距離通信が確立した場合に，前記近距離通信によって，前記第２の通信方式に従う無線通信である遠距離通信の確立に利用する接続情報を前記情報処理装置へ送信し，前記ジョブの実行に伴う画像処理に関する情報である特定情報を前記情報処理装置から取得する先行通信処理と，前記特定情報を取得した後，前記ジョブを完了させるための処理の少なくとも一部を開始する先行開始処理と，前記接続情報を送信した後，前記接続情報を利用して，前記情報処理装置との間で前記遠距離通信を確立させる確立処理と，前記遠距離通信によって，前記情報処理装置との間で，前記ジョブに基づく画像データを受け渡す後続通信処理とを行うことを特徴とする画像処理装置が開示される。
【００２２】
また，本明細書で開示される画像処理装置は，シートに記録された画像を読み取る読取部を備え，前記先行開始処理では，前記特定情報によって特定される画像処理が読み取りであった場合に，前記読取部の読み取り動作を開始するとよい。画像処理装置は，画像処理が読み取りであることを認識できれば，読み取りに関する処理を開始できる。そのため，遠距離通信の確立を待たずに読み取りに関する処理を開始することで，ジョブの完了までに必要な時間の短縮が期待できる。
【００２３】
また，本明細書で開示される画像処理装置は，シートに画像を印刷する印刷部を備え，前記先行開始処理では，前記特定情報によって特定される画像処理が印刷であった場合に，前記印刷部の起動動作を開始するとよい。起動動作としては，例えば定着装置のウォーミングアップが該当する。画像処理装置は，画像処理が印刷であることを認識できれば，印刷部の起動動作を開始できる。そのため，遠距離通信の確立を待たずに起動動作を開始することで，ジョブの完了までに必要な時間の短縮が期待できる。
【００２４】
また，本明細書で開示される画像処理装置の前記先行開始処理では，前記特定情報によって特定される画像処理がカラー印刷であった場合に，前記印刷部の補正動作を開始するとよい。補正動作としては，例えば色ずれ補正や濃度補正の補正値を取得する処理が該当する。画像処理装置は，画像処理としてさらにカラー印刷であることを認識できれば，カラー印刷に必要な補正動作を開始できる。そのため，遠距離通信の確立を待たずに補正動作を開始することで，ジョブの完了までに必要な時間の短縮が期待できる。
【００２５】
また，本明細書では，第１の通信方式に従って無線通信を行う近距離通信部と，前記第１の通信方式よりも通信距離が長い第２の通信方式に従って無線通信を行う遠距離通信部と，画像処理を実行する画像処理部と，制御部とを備え，前記制御部は，前記画像処理部に実行させるジョブの実行条件を満たしている状態で，情報処理装置との間に，前記第１の通信方式に従う無線通信である近距離通信が確立した場合に，前記近距離通信によって，前記第２の通信方式に従う無線通信である遠距離通信の確立に利用する接続情報と，自装置の情報である特定情報とを，前記情報処理装置へ送信する先行通信処理と，前記接続情報を送信した後，前記接続情報を利用して，前記情報処理装置との間で前記遠距離通信を確立させる確立処理と，前記遠距離通信によって，前記情報処理装置との間で，前記ジョブに基づく画像データを受け渡す後続通信処理とを行うことを特徴とする画像処理装置が開示される。
【発明の効果】
【００２６】
本発明によれば，ジョブの処理開始を早め，ジョブの完了までの時間の短縮が期待できる画像処理システム，画像処理装置，および情報処理装置が実現される。
【図面の簡単な説明】
【００２７】
【図１】実施の形態にかかる画像処理システムの構成を示すブロック図である。
【図２】実施の形態にかかる複合機（ＭＦＰ）の外観を示す斜視図である。
【図３】アプリケーションの初期画面を示す図である。
【図４】確認印刷モードにおけるモバイルデバイスとＭＦＰとの間のデータ通信の手順を示すシーケンス図である。
【図５】最適な印刷設定の決定例を示す図である。
【図６】アプリケーションの設定表示画面を示す図である。
【図７】アプリケーションの設定変更画面を示す図である。
【図８】自動印刷モードにおけるモバイルデバイスとＭＦＰとの間のデータ通信の手順を示すシーケンス図である。
【図９】確認スキャンモードにおけるモバイルデバイスとＭＦＰとの間のデータ通信の手順を示すシーケンス図である。
【図１０】自動スキャンモードにおけるモバイルデバイスとＭＦＰとの間のデータ通信の手順を示すシーケンス図である。
【図１１】モバイルデバイスが実行する印刷要求処理の手順前半を示すフローチャートである。
【図１２】モバイルデバイスが実行する印刷要求処理の手順後半を示すフローチャートである。
【図１３】モバイルデバイスが実行するスキャン要求処理の手順前半を示すフローチャートである。
【図１４】モバイルデバイスが実行するスキャン要求処理の手順後半を示すフローチャートである。
【図１５】ＭＦＰが実行するジョブ実行処理の手順を示すフローチャートである。
【図１６】ＭＦＰが実行する印刷ジョブ実行処理の手順を示すフローチャートである。
【図１７】ＭＦＰが実行するスキャンジョブ実行処理の手順を示すフローチャートである。
【発明を実施するための形態】
【００２８】
以下，本実施形態にかかる画像処理システムについて，添付図面を参照しつつ詳細に説明する。本形態は，読取機能および印刷機能を有する複合機（ＭＦＰ：Multi Function Peripheral）と，ＭＦＰに画像処理を実行させるジョブを受け付けるモバイルデバイスとを有する画像処理システムに本発明を適用したものである。
【００２９】
［画像処理システムの全体構成］
本形態の画像処理システム９００（画像処理システムの一例）は，図１に示すように，指定されたＭＦＰに画像処理を実行させるジョブを出力するモバイルデバイス１００（情報処理装置の一例）と，そのジョブを実行するＭＦＰ２００（画像処理装置の一例）とを備えている。本形態の画像処理システム９００では，モバイルデバイス１００とＭＦＰ２００との間で，無線通信によってデータの受け渡しが可能になっている。
【００３０】
なお，ＭＦＰ２００に画像処理を実行させるジョブを投入する情報処理装置は，モバイルデバイス１００の他，何台接続されていてもよい。また，画像処理システム９００は，サーバあるいはアクセスポイントを備え，モバイルデバイス１００からサーバあるいはアクセスポイントを介してＭＦＰ２００と通信してもよい。
【００３１】
［ＭＦＰの構成］
続いて，ＭＦＰ２００の概略構成について説明する。ＭＦＰ２００は，図１に示したように，ＣＰＵ３１と，ＲＯＭ３２と，ＲＡＭ３３と，ＮＶＲＡＭ（Non Volatile RAM）３４とを備えた制御部３０を備えている。また，制御部３０は，用紙に画像を印刷する画像形成部１０（画像処理部，印刷部の一例）と，原稿の画像を読み取る画像読取部１１（画像処理部，読取部の一例）と，動作状況の表示やユーザによる入力操作の受付を行う操作パネル４０と，ＮＦＣインターフェース３７（近距離通信部の一例）と，無線ＬＡＮインターフェース３８（遠距離通信部の一例）とに，電気的に接続されている。
【００３２】
画像形成部１０は，カラー印刷が可能であってもモノクロ印刷のみが可能であってもよい。本形態では，カラー印刷が可能なものとする。また，印刷方式についても，電子写真方式であってもインクジェット方式であってもよい。また，画像読取部１１は，カラースキャンが可能であってもモノクロスキャンのみが可能であってもよい。本形態では，カラースキャンが可能なものとする。また，読取機構についても，ＣＣＤであってもＣＩＳであってもよい。
【００３３】
ＲＯＭ３２には，ＭＦＰ２００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００３４】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ２００の各構成要素を制御する。
【００３５】
ＮＦＣインターフェース３７は，ＩＳＯ／ＩＥＣ２１４８１またはＩＳＯ／ＩＥＣ１８０９２の国際標準規格に基づいて，ＮＦＣ方式の無線通信を可能にするインターフェースである。ＭＦＰ２００は，ＮＦＣインターフェース３７を介して外部装置から送信されるデータを受信する。さらに，ＭＦＰ２００は，ＮＦＣインターフェース３７を介して外部装置にデータを送信する。
【００３６】
無線ＬＡＮインターフェース３８は，ＩＥＥＥの８０２．１１の規格およびそれに準ずる規格に基づいて，ＷｉＦｉダイレクト方式（ＷＦＤ方式）の無線通信を可能にするインターフェースである。ＮＦＣ方式とＷＦＤ方式とでは，通信方式（すなわち無線通信の規格）が異なり，ＷＦＤ方式の方がＮＦＣ方式よりも通信距離が長く通信速度も速い。ＭＦＰ２００は，無線ＬＡＮインターフェース３８を介して外部装置から送信されるデータを受信する。さらに，ＭＦＰ２００は，無線ＬＡＮインターフェース３８を介して外部装置にデータを送信する。
【００３７】
なお，ＷＦＤ方式は，ネットワークを管理するグループオーナー機器と，クライアント機器とでネットワークを構築し，そのネットワーク内でデータの受け渡しを可能にする通信方式である。そのため，無線ＬＡＮインターフェース３８を介して外部装置とデータ通信を行うには，当該外部装置と無線通信を確立させ，ＷＦＤネットワークを構築する必要がある。本形態では，ＭＦＰ２００がＷＦＤネットワークを構築する際のグループオーナー機器になり，モバイルデバイス１００がクライアント機器になる。クライアント機器はモバイルデバイス１００のみに限るものではなく，他のデバイスもクライアント機器としてＷＦＤネットワークに属することが可能である。ＭＦＰ２００は，クライアント機器の識別情報と，クライアント機器とＷＦＤ方式による無線通信を確立させるための接続情報とを記憶している。接続情報としては，例えば，ＷＦＤネットワークを識別するための識別子であるＳＳＩＤ（Service Set IDentifier）やパスワードが該当する。
【００３８】
操作パネル４０は，図２に示すようにＭＦＰ２００の外装に設けられ，ユーザ入力を受け付ける各種のボタンから構成される入力部４１と，メッセージや設定内容を表示する画面４２とを有している。各種のボタンとしては，例えば，画像処理の開始を指示するＯＫボタンや，画像処理のキャンセルを指示するキャンセルボタンがある。
【００３９】
また，操作パネル４０は，ＮＦＣ方式による無線通信を受け付けるＮＦＣ読取部４３を有している。ＮＦＣ読取部４３には，ＮＦＣインターフェース３７が設けられており，ＭＦＰ２００は，電源オンの間，ＮＦＣインターフェース３７から発せられる信号によって，ＮＦＣ方式の無線通信が実行可能なデバイスを検出する状態になっている。そのため，例えば，ユーザがモバイルデバイス１００をＮＦＣ読取部４３にかざすと，ＭＦＰ２００はモバイルデバイス１００を検出し，モバイルデバイス１００とＭＦＰ２００との間でＮＦＣ方式による無線通信が自動的に可能になる。なお，モバイルデバイス１００をＮＦＣ読取部４３に「かざす」とは，モバイルデバイス１００をＮＦＣインターフェース３７の通信範囲内に配置する動作であり，モバイルデバイス１００とＮＦＣ読取部４３とが接触していてもいなくてもよい。
【００４０】
［モバイルデバイスの構成］
続いて，モバイルデバイス１００の概略構成について説明する。モバイルデバイス１００は，図１に示すように，ＣＰＵ５１と，ＲＯＭ５２と，ＲＡＭ５３と，ＨＤＤ５４とを有する制御部５０を備えている。また，モバイルデバイス１００は，表示機能と入力機能とを兼ねるタッチパネルを有する操作パネル５５と，外部装置との通信を可能にする通信インターフェースとしてＮＦＣインターフェース５７（近距離通信部の一例）および無線ＬＡＮインターフェース５８（遠距離通信部の一例）とを有し，これらが制御部５０によって制御される。
【００４１】
モバイルデバイス１００のＨＤＤ５４には，ＯＳや，インターネット上のファイルを閲覧するためのブラウザ，各種のデバイスを制御するデバイスドライバ等が組み込まれている。また，ＭＦＰ２００に印刷やスキャン等の画像処理を指示し，画像処理に伴う画像データをＭＦＰ２００に受け渡すジョブを受け付けるアプリケーションプログラム（以下，「アプリ２０」とする。受付部の一例）もＨＤＤ５４に記憶されている。
【００４２】
上述したアプリ２０は，モバイルデバイス１００がユーザからの起動指示を受け付けることによって，ＣＰＵ５１によって起動される。アプリ２０は，初期画面として，図３に示すように，ジョブの種類をユーザに選択させる選択画面２１を表示する。
【００４３】
アプリ２０が受け付けるジョブとしては，印刷とスキャンとがある。さらに印刷には，印刷設定を確認した後にＭＦＰ２００に印刷を開始させる確認印刷モードと，印刷設定を確認せずにアプリ２０で決定した印刷設定に従ってＭＦＰ２００に印刷を開始させる自動印刷モードとがある。スキャンには，スキャン設定を確認した後にＭＦＰ２００に原稿を読み取らせる確認スキャンモードと，スキャン設定を確認せずにアプリ２０で決定したスキャン設定に従ってＭＦＰ２００に原稿を読み取らせる自動スキャンモードと，ＭＦＰ２００に設定されているスキャン設定に従ってＭＦＰ２００に原稿を読み取らせるおまかせスキャンモードとがある。選択画面２１には，確認印刷モードで印刷ジョブを登録する確認印刷ボタン２１１と，自動印刷モードで印刷ジョブを登録する自動印刷ボタン２１２と，確認スキャンモードでスキャンジョブを登録する確認スキャンボタン２１３と，自動スキャンモードでスキャンジョブを登録する自動スキャンボタン２１４と，おまかせスキャンモードでスキャンジョブを登録するおまかせスキャンボタン２１５とが設けられる。
【００４４】
確認印刷ボタン２１１あるいは自動印刷ボタン２１２がタッチされると，アプリ２０は，選択画面２１から印刷対象選択画面に切り換え，印刷対象となるデータの選択を受け付ける。印刷対象選択画面では，例えば，データ名あるいはそのデータのサムネイル画像が一覧表示される。そして，ユーザが印刷希望のデータ名あるいはサムネイル画像をタッチすることで，印刷対象となるデータが選択される。データが選択されると，印刷ジョブがモバイルデバイス１００のジョブキューに登録される。
【００４５】
一方，アプリ２０は，選択画面２１にて，確認スキャンボタン２１３，自動スキャンボタン２１４，あるいはおまかせスキャンボタン２１５がタッチされると，スキャンジョブがモバイルデバイス１００のジョブキューに登録される。なお，ジョブキューの登録前に，読み取った画像データの保存先を選択させる保存先選択画面を表示してもよい。ジョブキューに印刷ジョブないしスキャンジョブが登録された後のアプリ２０の動作については後述する。
【００４６】
ＣＰＵ５１は，ＲＯＭ５２から読み出した制御プログラムやＨＤＤ５４から読み出したプログラムに従って，その演算結果をＲＡＭ５３またはＨＤＤ５４に記憶させながら各種の処理を行う。上述したアプリ２０の動作も，ＣＰＵ５１によって処理される。
【００４７】
ＮＦＣインターフェース５７は，ＭＦＰ２００のＮＦＣインターフェース３７と同様に，ＮＦＣ方式の無線通信を可能にするインターフェースである。また，無線ＬＡＮインターフェース５８は，ＭＦＰ２００の無線ＬＡＮインターフェース３８と同様に，ＷＦＤ方式の無線通信を可能にするインターフェースである。モバイルデバイス１００は，ＮＦＣインターフェース５７あるいは無線ＬＡＮインターフェース５８を介して外部装置から送信されるデータを受信する。さらに，モバイルデバイス１００は，ＮＦＣインターフェース５７あるいは無線ＬＡＮインターフェース５８を介して外部装置にデータを送信する。
【００４８】
［画像処理システムの動作］
［印刷ジョブの動作概要］
続いて，モバイルデバイス１００に印刷ジョブを登録した後の，モバイルデバイス１００とＭＦＰ２００との間のデータ通信の手順について，確認印刷モードの場合と自動印刷モードの場合とに分けて説明する。
【００４９】
始めに，確認印刷モードの印刷ジョブの動作手順について，図４のシーケンス図を参照しつつ説明する。先ず，モバイルデバイス１００に確認印刷モードの印刷ジョブが登録された状態で，ユーザがそのモバイルデバイス１００をＭＦＰ２００のＮＦＣ読取部４３にかざす。これにより，ＭＦＰ２００がモバイルデバイス１００を検出し，モバイルデバイス１００とＭＦＰ２００との間で，ＮＦＣ方式による無線通信が可能になる。
【００５０】
モバイルデバイス１００とＭＦＰ２００との間でＮＦＣ方式による無線通信が可能になると，モバイルデバイス１００からＭＦＰ２００に対してハンドオーバー接続要求が送信される。ハンドオーバー接続要求は，ＮＦＣ方式によって送信される。
【００５１】
ハンドオーバー接続要求には，ＷＦＤ方式へのハンドオーバー接続要求の他，ジョブ情報が付加される。ジョブ情報には，少なくとも印刷ジョブかスキャンジョブかを区別するための情報が含まれる。また，確認印刷モードか自動印刷モードかを区別する情報や，カラーかモノクロかを区別する情報を含めてもよい。
【００５２】
ＭＦＰ２００は，モバイルデバイス１００からハンドオーバー接続要求を受け付けると，ＭＦＰ２００からモバイルデバイス１００に対してハンドオーバー接続応答が送信される。ハンドオーバー接続応答には，ＷＦＤ方式の接続を確立させるために必要な情報である接続情報と，ＭＦＰ２００の装置情報とが付加される。装置情報は，ＭＦＰ２００の印刷能力を記憶する能力情報と，ＭＦＰ２００の現在の状態を記憶する状態情報とを組み合わせた情報である。ハンドオーバー接続応答は，ＮＦＣ方式によって送信される。
【００５３】
また，ＭＦＰ２００は，ハンドオーバー接続応答をモバイルデバイス１００に送信した後，画像形成部１０のウォームアップを開始する。このウォームアップとしては，例えば定着装置のウォームアップや，色ずれ補正処理等の補正動作が該当する。
【００５４】
一方，モバイルデバイス１００は，ハンドオーバー接続応答を受信した後，装置情報に基づいて最適な印刷設定を決定する。最適な印刷設定を決定する例を図５に示す。先ず，ＭＦＰ２００は，ＭＦＰ２００の能力情報および状態情報から処理可能情報を作成する。すなわち，能力情報に記憶されている印刷処理可能項目から，現在の消耗品の状況やメモリの空き状況に応じて処理不可能な項目を削除した情報を作成する。そして，印刷処理可能情報を装置情報としてモバイルデバイス１００に送信する。
【００５５】
モバイルデバイス１００は，受信した装置情報から，自身に設定されている優先条件を参照して，最適な印刷設定を決定する。例えば，図５に示した例では，色設定は，カラーとモノクロとが可能であり，優先条件がカラーであることから，最適な印刷設定はカラーとなる。また，解像度は，６００ｄｐｉ，３００ｄｐｉ，１５０ｄｐｉが可能であり，優先条件が高解像度であることから，最適な印刷設定は６００ｄｐｉとなる。また，用紙は，ＭＦＰ２００の能力としては，Ｌ版，Ａ４，Ｌｅｔｔｅｒが可能であるが，トレイに設定されている用紙種が，Ｌ版とＡ４のみであり，さらにシートが収容されているトレイがトレイ１のみであることから，印刷処理可能な用紙は，トレイ１に設定されているＡ４となる。そのため，優先条件がＬ版であっても，最適な印刷設定はＡ４となる。仮に，Ｌ版が印刷処理可能であれば，最適な印刷設定はＬ版となる。また，フォーマットは，ＪＰＥＧ，ＰＤＦ，ＴＩＦＦが可能であり，優先条件がＪＰＥＧであることから，最適な印刷設定はＪＰＥＧとなる。なお，空きメモリ容量が所定値より小さい場合には，画像データが圧縮される。
【００５６】
そして，決定した最適な印刷設定を，図６に示すようなアプリ２０の設定表示画面２２に表示する。設定表示画面２２には，印刷実行指示を受け付ける実行ボタン２２１と，印刷ジョブの中止を受け付ける中止ボタン２２２と，印刷設定の変更を行う画面への切換指示を受け付ける変更ボタン２２３とが設けられる。
【００５７】
アプリ２０は，変更ボタン２２３がタッチされると，図７に示すように，印刷設定の変更を可能にする設定変更画面２３を表示する。設定変更画面２３では，各種設定の現在の設定内容の表示とその設定内容の変更とを可能にする変更エリア２３１と，設定表示画面２２への切換指示を受け付けるＯＫボタン２３２とが設けられる。設定変更画面２３では，ＭＦＰ２００から得られた装置情報（印刷処理可能情報（図５参照））に記憶されている条件の範囲内での変更が可能となる。
【００５８】
例えば，図５に示した例では，ＭＦＰ２００の能力としては，Ｌ版，Ａ４，Ｌｅｔｔｅｒの各用紙に対応可能であるが，ＭＦＰ２００現状態がＡ４にしか対応できないため，設定変更画面２３ではＡ４以外の用紙の選択は不可である。一方，フォーマットは，ＪＰＥＧの他，ＰＤＦ，ＴＩＦＦでも対応できるため，詳細変更画面２３ではＪＰＥＧ，ＰＤＦ，ＴＩＦＦから選択できる。設定変更画面２３での印刷設定の変更は，ＯＫボタン２３２がタッチされ，設定表示画面２２に切り換える際に反映される。
【００５９】
設定表示画面２２で実行ボタン２２１がタッチされると，モバイルデバイス１００は，ユーザからの印刷実行指示を受け付けたことになる。印刷実行指示を受け付けた後は，最終的に設定されている印刷設定に従って，印刷用の画像データを生成する。
【００６０】
また，モバイルデバイス１００は，接続情報を利用してＷＦＤ方式によるＭＦＰ２００との無線通信を確立させる。すなわち，ＮＦＣ方式による無線通信からＷＦＤ方式による無線通信へのハンドオーバーを実施する。このＷＦＤ方式の接続確立は，ＭＦＰ２００から接続情報を受信した後に開始すればよく，印刷用の画像データの生成までの処理と並行して行われる。ＷＦＤ方式によるＭＦＰ２００との無線通信を確立させた後，モバイルデバイス１００は，ＷＦＤ方式によって，印刷用の画像データをＭＦＰ２００に送信する。
【００６１】
ＭＦＰ２００は，印刷用の画像データを受信すると，その画像データの印刷を開始する。全ページの印刷が完了した後は，ＭＦＰ２００からモバイルデバイス１００に対して印刷完了応答を送信する。印刷完了応答は，ＷＦＤ方式によって送信される。モバイルデバイス１００は，ＭＦＰ２００から印刷完了応答を受信すると，ＭＦＰ２００とのＷＦＤ方式の接続を切断する。これにより，確認印刷モードの印刷ジョブの，一連の動作が完了する。
【００６２】
一方，自動印刷モードの印刷ジョブの場合，図８に示すように，モバイルデバイス１００は，ＮＦＣ方式の無線通信によってＭＦＰ２００から接続情報および装置情報を受信し，その装置情報に基づいて最適な印刷設定を決定した後は，その印刷設定を表示せず，その最適な印刷設定をＭＦＰ２００に送信する。この点，最適な印刷設定の表示を行う確認印刷モードと異なる。最適な印刷設定は，ＮＦＣ方式によって送信される。
【００６３】
ＭＦＰ２００は，モバイルデバイス１００から最適な印刷設定を受信した後，その最適な印刷設定に適した画像形成部１０のウォームアップを開始する。例えば，カラー印刷であれば補正処理を実行し，モノクロ印刷であれば補正処理を実行しない。
【００６４】
モバイルデバイス１００は，ＭＦＰ２００に最適な印刷設定を送信した後，印刷用の画像データを生成する。さらに，印刷用の画像データの生成の前後あるいは同時に，接続情報を利用してＷＦＤ方式によるＭＦＰ２００との無線通信を確立させる。ＷＦＤ方式によるＭＦＰ２００との無線通信を確立させた後は，確認印刷モードの印刷ジョブの場合と同様の手順となる。
【００６５】
［スキャンジョブの動作概要］
続いて，モバイルデバイス１００にスキャンジョブを登録した後の，モバイルデバイス１００とＭＦＰ２００との間のデータ通信の手順について，確認スキャンモードの場合と，自動スキャンモードの場合と，おまかせスキャンモードの場合とに分けて説明する。
【００６６】
始めに，確認スキャンモードのスキャンジョブの動作手順について，図９のシーケンス図を参照しつつ説明する。なお，確認スキャンモードの動作のうち，ＮＦＣ方式の通信によって接続情報と装置情報とが受け渡されるまでの手順は確認印刷モードと同じであり，説明を省略する。このときの装置情報には，印刷に関する情報に代わり，スキャンに関する情報が含まれる。スキャンに関する情報としては，例えばシートの自動搬送装置（ＡＤＦ）に用紙がセットされているか否かの情報が該当する。
【００６７】
ＭＦＰ２００は，ハンドオーバー接続応答をモバイルデバイスに送信した後，画像読取部１１のキャリブレーションを開始する。一方，モバイルデバイス１００は，装置情報に基づいて最適なスキャン設定を決定する。そして，決定した最適なスキャン設定をアプリ２０の設定表示画面２２に表示する。
【００６８】
設定表示画面２２で実行ボタン２２１がタッチされると，モバイルデバイス１００は，ユーザからのスキャン実行指示を受け付けたことになる。スキャン実行指示を受け付けた後は，接続情報を利用してＷＦＤ方式によるＭＦＰ２００との無線通信を確立させる。すなわち，ＮＦＣ方式による無線通信からＷＦＤ方式による無線通信へのハンドオーバーを実施する。ＷＦＤ方式によるＭＦＰ２００との無線通信を確立させた後，モバイルデバイス１００は，ＷＦＤ方式によって，スキャン開始指示をＭＦＰ２００に送信する。このスキャン開始指示には，スキャン設定が付加される。
【００６９】
ＭＦＰ２００は，スキャン開始指示を受信すると，原稿のスキャンを開始する。全原稿のスキャンが完了した後は，ＭＦＰ２００からモバイルデバイス１００に対して読み取った原稿の画像データを送信する。さらに画像データの送信完了後は，スキャン完了応答を送信する。画像データおよびスキャン完了応答は，ＷＦＤ方式によって送信される。
【００７０】
モバイルデバイス１００は，ＭＦＰ２００から画像データを受信すると，その画像データをアプリ２０に表示する。また，スキャン完了応答を受信すると，ＭＦＰ２００とのＷＦＤ方式の接続を切断する。これにより，確認スキャンモードの印刷ジョブの，一連の動作が完了する。
【００７１】
一方，自動スキャンモードのスキャンジョブの場合，図１０に示すように，モバイルデバイス１００は，ＮＦＣ方式の無線通信によってＭＦＰ２００から接続情報および装置情報を受信し，その装置情報に基づいて最適なスキャン設定を決定した後は，そのスキャン設定を表示せず，その最適なスキャン設定およびスキャン開始指示をＭＦＰ２００に送信する。最適なスキャン設定およびスキャン開始指示は，ＮＦＣ方式によって送信される。
【００７２】
ＭＦＰ２００は，モバイルデバイス１００から最適なスキャン設定およびスキャン開始指示を受信した後，その最適なスキャン設定に従って画像読取部１１でのスキャンを開始する。
【００７３】
モバイルデバイス１００は，ＭＦＰ２００に最適なスキャン設定およびスキャン開始指示を送信した後，接続情報を利用してＷＦＤ方式によるＭＦＰ２００との無線通信を確立させる。ＷＦＤ方式によるＭＦＰ２００との無線通信を確立させた後は，読み取った原稿の画像データをモバイルデバイス１００に送信する。その後は，確認スキャンモードのスキャンジョブの場合と同様の手順となる。
【００７４】
また，おまかせスキャンモードの場合には，概ね図１０に示した自動スキャンモードと同様であるが，次の点が異なる。すなわち，モバイルデバイス１００は，ＮＦＣ方式の無線通信によってＭＦＰ２００から接続情報および装置情報を受信した後は，最適なスキャン設定を決定せず，スキャン開始指示のみをＭＦＰ２００に送信する。この点，スキャン開始指示とともに最適なスキャン設定を送信する自動スキャンモードと異なる。
【００７５】
ＭＦＰ２００は，モバイルデバイス１００からスキャン開始指示を受信した後，自装置に設定されているスキャン設定に従って画像読取部１１でのスキャンを開始する。モバイルデバイス１００は，ＭＦＰ２００にスキャン開始指示を送信した後，自動スキャンモードのスキャンジョブの場合と同様の手順となる。
【００７６】
［印刷要求処理］
続いて，前述した画像処理システム９００の動作を実現する各装置の処理を，それぞれ説明する。始めに，モバイルデバイス１００が実行する印刷要求処理について，図１１および図１２のフローチャートを参照しつつ説明する。印刷要求処理は，アプリ２０の確認印刷ボタン２１１あるいは自動印刷ボタン２１２がタッチされたことを契機に，ＣＰＵ５１によって実行される。
【００７７】
図１１に示すように，印刷要求処理では，先ず，印刷対象となるデータの選択を受け付ける印刷対象選択画面を表示する（Ｓ１０１）。そして，ユーザからの印刷対象の選択を受け付けたか否かを判断する（Ｓ１０２）。印刷対象の選択を受け付けていない場合には（Ｓ１０２：ＮＯ），印刷対象の選択を受け付けるまで待機する。
【００７８】
印刷対象の選択を受け付けた場合には（Ｓ１０２：ＹＥＳ），モバイルデバイス１００をＭＦＰ２００のＮＦＣ読取部４３にかざす旨のメッセージを表示する（Ｓ１０３）。Ｓ１０３の後は，印刷ジョブの送信先となるＭＦＰ２００が検出されたか否かを判断する（Ｓ１０４）。本形態では，ユーザがモバイルデバイス１００をＭＦＰ２００のＮＦＣ読取部４３にかざすことで，ＭＦＰ２００から送信される接続確認を受信する。この接続確認をモバイルデバイス１００が受信した場合にＭＦＰ２００が検出されたと判断する。ＭＦＰ２００が検出されていない間は（Ｓ１０４：ＮＯ），ＭＦＰ２００が検出されるまで待機する。
【００７９】
ＭＦＰ２００が検出されると（Ｓ１０４：ＹＥＳ），ＮＦＣインターフェース５７を介して，ＭＦＰ２００に対してハンドオーバー接続要求を送信する（Ｓ１０５）。このハンドオーバー接続要求には，ジョブ情報を付加する。
【００８０】
Ｓ１０５の後は，ＭＦＰ２００からハンドオーバー接続応答を受信する（Ｓ１０６）。ハンドオーバー接続応答には，ＷＦＤ方式の接続を確立させるために必要な接続情報およびＭＦＰ２００の装置情報が付加される。
【００８１】
その後，Ｓ１０６で受信した接続情報を利用して，ＭＦＰ２００との間でＷＦＤ方式の無線通信を確立させる処理を開始する（Ｓ１０７）。また，装置情報に基づいて，最適な印刷設定を選択する（Ｓ１０８）。Ｓ１０７とＳ１０８以降の処理とは，並行して実行される。
【００８２】
Ｓ１０８の後，図１２に示すように，選択結果の表示が必要か否かを判断する（Ｓ１５１）。Ｓ１５１では，確認印刷モードであれば表示が必要と判断し，自動印刷モードであれば表示が不要と判断する。選択結果の表示が不要であれば（Ｓ１５１：ＮＯ），ＮＦＣインターフェース５７を介して，Ｓ１０８で選択された印刷設定をＭＦＰ２００に送信する（Ｓ１６１）。
【００８３】
一方，選択結果の表示が必要であれば（Ｓ１５１：ＹＥＳ），Ｓ１０８で選択された印刷設定を設定表示画面２２に表示する（Ｓ１５２）。Ｓ１５２の後，ユーザによって設定表示画面２２の何ボタンがタッチされたかを判断する（Ｓ１５３）。
【００８４】
変更ボタン２２３がタッチされた場合には（Ｓ１５３：変更），設定変更画面２３を表示し，印刷設定の変更を受け付ける（Ｓ１７１）。変更を受け付けた後は，Ｓ１５２に移行して変更された印刷設定を設定表示画面２２に表示する。中止ボタン２２２がタッチされた場合には（Ｓ１５３：中止），Ｓ１５９に移行してＷＦＤ方式の通信接続を切断させた後，印刷要求処理を終了する。
【００８５】
実行ボタン２２１がタッチされた場合には（Ｓ１５３：実行），現在設定されている印刷設定に従って，印刷用の画像データを生成する（Ｓ１５４）。また，Ｓ１６１の後は，Ｓ１０８で選択された印刷設定に従って，印刷用の画像データを生成する（Ｓ１５４）。なお，Ｓ１５４では，印刷設定に設定されたフォーマットで画像データを生成する他，ＭＦＰ２００のメモリフルを回避するため，Ｓ１０６で取得した装置情報に基づいてＭＦＰ２００の空きメモリ容量が所定値以下であれば，その空きメモリ容量に合わせて画像データを圧縮する。
【００８６】
Ｓ１５４の後は，ＷＦＤ方式の接続が確立したか否かを判断する（Ｓ１５６）。なお，Ｓ１０７のＷＦＤ接続の開始処理は，Ｓ１０６の後であってＳ１５４の画像データの生成が完了するまでの間で開始すればよく，例えばＳ１５４の画像データの生成処理の前後あるいは同時であってもよい。ＷＦＤ方式の接続が確立していない場合には（Ｓ１５６：ＮＯ），確立するまで待機する。
【００８７】
ＷＦＤ方式の接続が確立した場合には（Ｓ１５６：ＹＥＳ），無線ＬＡＮインターフェース５８を介して，Ｓ１５４で生成した印刷用の画像データをＭＦＰ２００に送信する（Ｓ１５７）。
【００８８】
Ｓ１５７の後は，ＭＦＰ２００からの印刷完了応答を受信したか否かを判断する（Ｓ１５８）。印刷完了応答を受信していない間は（Ｓ１５８：ＮＯ），印刷完了応答を受信するまで待機する。印刷完了応答を受信した場合には（Ｓ１５８：ＹＥＳ），ＭＦＰ２００に対して切断確認を応答し，ＷＦＤ方式の無線通信を切断する（Ｓ１５９）。Ｓ１５９の後は，印刷要求処理を終了する。
【００８９】
［スキャン要求処理］
続いて，モバイルデバイス１００が実行するスキャン要求処理について，図１３および図１４のフローチャートを参照しつつ説明する。スキャン要求処理は，アプリ２０の確認スキャンボタン２１３，自動スキャンボタン２１４，あるいはおまかせスキャンボタン２１５がタッチされたことを契機に，ＣＰＵ５１によって実行される。なお，図１１および図１２に示した印刷要求処理と同じ処理については，同じ符号を付して説明を省略する。
【００９０】
図１３に示すように，スキャン要求処理では，先ず，モバイルデバイス１００をＭＦＰ２００のＮＦＣ読取部４３にかざす旨のメッセージを表示する（Ｓ１０３）。Ｓ１０３の後は，ＭＦＰ２００が検出されたか否かを判断する（Ｓ１０４）。ＭＦＰ２００が検出されていない間は（Ｓ１０４：ＮＯ），ＭＦＰ２００が検出されるまで待機する。ＭＦＰ２００が検出されると（Ｓ１０４：ＹＥＳ），ＮＦＣインターフェース５７を介して，ＭＦＰ２００に対してハンドオーバー接続要求を送信する（Ｓ１０５）。
【００９１】
Ｓ１０５の後は，送信先のＭＦＰ２００からハンドオーバー接続応答を受信する（Ｓ１０６）。このＳ１０６によって，ＭＦＰ２００から接続情報および装置情報を取得する。Ｓ１０６の後，Ｓ１０６で取得した接続情報を利用して，ＭＦＰ２００との間でＷＦＤ方式の無線通信を確立させる処理を開始する（Ｓ１０７）。Ｓ１０７とＳ３０７以降の処理とは，並行して実行される。
【００９２】
また，Ｓ１０６の後，登録されたスキャンジョブが，おまかせスキャンモードか否かを判断する（Ｓ３０７）。おまかせスキャンモードであれば（Ｓ３０７：ＹＥＳ），スキャン設定はＭＦＰ２００が有する設定に従うため，モバイルデバイス１００による後述のＳ３０８のスキャン設定の選択は不要である。そのため，ＮＦＣインターフェース５７を介してＭＦＰ２００にスキャン開始指示を送信し（Ｓ３１１），図１４のＳ１５６まで移行する。おまかせスキャンモードでなければ（Ｓ３０７：ＮＯ），Ｓ１０６で取得した装置情報に基づいて，最適なスキャン設定を選択する（Ｓ３０８）。
【００９３】
Ｓ３０８の後，図１４に示すように，選択結果の表示が必要か否かを判断する（Ｓ３５１）。Ｓ３５１では，確認スキャンモードであれば表示が必要と判断し，自動スキャンモードであれば表示が不要と判断する。選択結果の表示が不要であれば（Ｓ３５１：ＮＯ），ＮＦＣインターフェース５７を介して，Ｓ３０８で選択されたスキャン設定をスキャン開始指示とともにＭＦＰ２００に送信する（Ｓ３６１）。
【００９４】
一方，選択結果の表示が必要であれば（Ｓ３５１：ＹＥＳ），Ｓ３０８で選択されたスキャン設定を設定表示画面２２に表示する（Ｓ３５２）。Ｓ３５２の後，ユーザによって設定表示画面２２の何ボタンがタッチされたかを判断する（Ｓ１５３）。
【００９５】
変更ボタン２２３がタッチされた場合には（Ｓ１５３：変更），設定変更画面２３を表示し，スキャン設定の変更を受け付ける（Ｓ３７１）。変更を受け付けた後は，Ｓ３５２に移行して変更されたスキャン設定を設定表示画面２２に表示する。中止ボタン２２２がタッチされた場合には（Ｓ１５３：中止），Ｓ１５９に移行してＷＦＤ方式の通信接続を切断させた後，スキャン要求処理を終了する。
【００９６】
実行ボタン２２１がタッチされた場合（Ｓ１５３：実行），ＷＦＤ方式の接続が確立したか否かを判断する（Ｓ１５６）。なお，Ｓ１０７のＷＦＤ接続の開始処理は，Ｓ１０６の後であってＳ１５６の判断を開始するまでの間で開始すればよく，例えば実行ボタン２２１がタッチされた後であってもよい。ＷＦＤ方式の接続が確立していない場合には（Ｓ１５６：ＮＯ），確立するまで待機する。
【００９７】
ＷＦＤ方式の接続が確立した場合には（Ｓ１５６：ＹＥＳ），スキャン開始指示が送信済みか否かを判断する（Ｓ３５５）。スキャン開始指示が送信済みでなければ（Ｓ３５５：ＮＯ），無線ＬＡＮインターフェース５８を介して，ＭＦＰ２００に対してスキャン開始指示および現在のスキャン設定を送信する（Ｓ３５６）。
【００９８】
Ｓ３５６の後，あるいはスキャン開始指示が送信済みであれば（Ｓ３５５：ＹＥＳ），ＭＦＰ２００から原稿の画像データを受信したか否かを判断する（Ｓ３５７）。原稿の画像データを受信していなければ（Ｓ３５７：ＮＯ），原稿の画像データを受信するまで待機する。
【００９９】
原稿の画像データを受信した場合には（Ｓ３５７：ＹＥＳ），その画像データをＨＤＤ５４に保存し，さらにアプリ２０に表示する（Ｓ３５８）。原稿の画像データの受信が完了した後は，ＭＦＰ２００に切断確認を送信し，ＷＦＤ方式の無線通信を切断する（Ｓ１５９）。Ｓ１５９の後は，スキャン要求処理を終了する。
【０１００】
［ジョブ実行処理］
続いて，ＭＦＰ２００が実行するジョブ実行処理について，図１５のフローチャートを参照しつつ説明する。ジョブ実行処理は，ＮＦＣインターフェース３７を介してＮＦＣ通信が可能なデバイスを検知したことを契機に，ＣＰＵ３１によって実行される。なお，以下の説明では，検出したデバイスをモバイルデバイス１００とする。
【０１０１】
ジョブ実行処理では，先ず，モバイルデバイス１００から送信されるハンドオーバー接続要求を受信することにより，その要求に含まれるジョブ情報を取得する（Ｓ２０１）。そして，そのジョブ情報に基づいて，ＭＦＰ２００の装置情報を作成する（Ｓ２０２）。すなわち，ジョブ情報に基づいて印刷ジョブかスキャンジョブかを判断し，印刷ジョブであれば印刷能力と画像形成部１０の状態とから，実行可能なスペックを装置情報として作成する。スキャンジョブであればスキャン能力と画像読取部１１の状態とから，実行可能なスペックを装置情報として作成する。そして，Ｓ２０２で作成した装置情報およびＷＦＤ方式での通信に利用する接続情報を付加したハンドオーバー接続応答を，ＮＦＣインターフェース３７を介してＭＦＰ２００に送信する（Ｓ２０３）。
【０１０２】
Ｓ２０３の後は，ジョブ情報に基づいて印刷ジョブか否かを判断する（Ｓ２０４）。印刷ジョブであれば（Ｓ２０４：ＹＥＳ），印刷を実行する印刷ジョブ実行処理を実行する（Ｓ２０５）。スキャンジョブであれば（Ｓ２０４：ＮＯ），原稿のスキャンを実行するスキャンジョブ実行処理を実行する（Ｓ２１１）。
【０１０３】
Ｓ２０５の印刷ジョブ実行処理では，図１６に示すように，先ず，所定時間待機する（Ｓ２２１）。この所定時間は，モバイルデバイス１００がＳ１０８で最適な印刷設定を選択し，その選択結果を送信し得る時間である。この時間は非常に短く，例えば１秒あるいはそれより短くてもよい。
【０１０４】
Ｓ２２１の後，モバイルデバイス１００から最適な印刷設定を受信しているか否かを判断する（Ｓ２２２）。印刷設定を受信している場合には（Ｓ２２２：ＹＥＳ），その印刷設定の色指定がカラーか否かを判断する（Ｓ２３１）。カラーであれば（Ｓ２３１：ＹＥＳ），カラー印刷用のウォーミングアップを開始する（Ｓ２３２）。カラー印刷用のウォーミングアップとしては，例えば，定着装置のウォームアップや，色ずれ補正処理等の補正動作が該当する。一方，モノクロであれば（Ｓ２３１：ＮＯ），モノクロ印刷用のウォーミングアップを開始する（Ｓ２３３）。例えば，モノクロ印刷では，色ずれ補正処理は不要である。そのため，定着装置のウォームアップは行うが，色ずれ補正処理は行わない。すなわち，印刷設定を受信している場合には，その色設定に適したウォーミングアップを行う。
【０１０５】
一方，印刷設定を受信していない場合（Ｓ２２２：ＮＯ），すなわち確認印刷モードの場合には，最終的な印刷設定がこの時点では不明である。そのため，どのような印刷設定であっても対応可能なウォーミングアップを開始する（Ｓ２２３）。Ｓ２２３では，例えば，印刷の早期開始を優先する場合には，印刷に関する全てのウォーミングアップを行う。一方，消耗品の無駄を抑制する場合には，補正処理は行わず，定着装置のウォーミングアップのみを行うとしてもよい。
【０１０６】
Ｓ２２３，Ｓ２３２，あるいはＳ２３３にてウォーミングアップを開始した後は，モバイルデバイス１００からのＷＦＤ接続確認があったか否かを判断する（Ｓ２２４）。ＷＦＤ接続確認を受信していない場合には（Ｓ２２４：ＮＯ），受信するまで待機する。ＷＦＤ接続確認を受信した場合には（Ｓ２２４：ＹＥＳ），モバイルデバイス１００との間でＷＦＤ方式の無線通信を確立させる（Ｓ２２５）。すなわち，ＮＦＣ方式からＷＦＤ方式へのハンドオーバーを実現させる。
【０１０７】
ＷＦＤ方式の無線通信を確立させた後は，無線ＬＡＮインターフェース５８を介して，モバイルデバイス１００から送信される印刷用の画像データを受信する（Ｓ２２６）。画像データを受信すると，画像形成部１０にその画像データの印刷を開始させる（Ｓ２２７）。印刷を開始させた後は，印刷ジョブの全ページの印刷が完了したか否かを判断する（Ｓ２２８）。全ページの印刷が完了していない場合には（Ｓ２２８：ＮＯ），印刷が完了するまで待機する。
【０１０８】
全ページの印刷が完了した場合には（Ｓ２２８：ＹＥＳ），モバイルデバイス１００に対して印刷完了応答を送信する（Ｓ２２９）。Ｓ２２９の後，モバイルデバイス１００からの切断確認を待って，モバイルデバイス１００との間で確立中のＷＦＤ方式の無線通信を切断する（Ｓ２３０）。Ｓ２３０の後は，印刷ジョブ実行処理を終了し，さらに図１５に戻ってジョブ実行処理を終了する。
【０１０９】
一方，Ｓ２１１のスキャンジョブ実行処理では，図１７に示すように，先ず，所定時間待機する（Ｓ２５１）。この所定時間は，モバイルデバイス１００がＳ３０８で最適なスキャン設定を選択し，その選択結果を送信し得る時間である。この時間は非常に短く，例えば１秒あるいはそれより短くてもよい。
【０１１０】
Ｓ２５１の後，モバイルデバイス１００からスキャン開始指示を受信しているか否かを判断する（Ｓ２５２）。スキャン開始指示を受信している場合には（Ｓ２５２：ＹＥＳ），画像読取部１１による原稿のスキャンを開始する（Ｓ２７１）。Ｓ２７１では，自動スキャンモードの場合は，スキャン開始指示に付加されるスキャン設定に従ってスキャンを開始する。一方，おまかせスキャンモードの場合には，ＭＦＰ２００に設定されているスキャン設定に従ってスキャンを開始する。
【０１１１】
Ｓ２７１の後は，モバイルデバイス１００からのＷＦＤ接続確認があったか否かを判断する（Ｓ２７２）。ＷＦＤ接続確認を受信していない場合には（Ｓ２７２：ＮＯ），受信するまで待機する。ＷＦＤ接続確認を受信した場合には（Ｓ２７２：ＹＥＳ），モバイルデバイス１００との間でＷＦＤ方式の無線通信を確立させる（Ｓ２７３）。すなわち，ＮＦＣ方式からＷＦＤ方式へのハンドオーバーを実現させる。
【０１１２】
一方，スキャン開始指示を受信していない場合には（Ｓ２５２：ＮＯ），原稿のスキャンを開始する前準備としての画像読取部１１でのキャリブレーションを開始する（Ｓ２５３）。
【０１１３】
Ｓ２５３の後，モバイルデバイス１００からのＷＦＤ接続確認があったか否かを判断する（Ｓ２５４）。ＷＦＤ接続確認を受信していない場合には（Ｓ２５４：ＮＯ），受信するまで待機する。ＷＦＤ接続確認を受信した場合には（Ｓ２５４：ＹＥＳ），モバイルデバイス１００との間でＷＦＤ方式の無線通信を確立させる（Ｓ２５５）。すなわち，ＮＦＣ方式からＷＦＤ方式へのハンドオーバーを実現させる。
【０１１４】
Ｓ２５５の後，モバイルデバイス１００からスキャン開始指示を受信しているか否かを判断する（Ｓ２５６）。スキャン開始指示を受信していない場合には（Ｓ２５６：ＮＯ），スキャン開始指示を受信するまで待機する。
【０１１５】
スキャン開始指示を受信した場合には（Ｓ２５６：ＹＥＳ），画像読取部１１での原稿のスキャンを開始する（Ｓ２５７）。Ｓ２５７は，確認スキャンモードでのスキャンであり，Ｓ２５６で受信したスキャン開始指示に付加されるスキャン設定に従ってスキャンを開始する。
【０１１６】
Ｓ２５７の後，あるいはＳ２７３の後，無線ＬＡＮインターフェース５８を介して，読み取った画像データをモバイルデバイス１００に送信する（Ｓ２５８）。その後は，ＭＦＰ２００に対してスキャン完了を応答し（Ｓ２５９），モバイルデバイス１００からの切断確認を待って，モバイルデバイス１００との間で確立中のＷＦＤ方式の無線通信を切断する（Ｓ２６０）。Ｓ２６０の後は，スキャン要求処理を終了し，さらに図１５に戻ってジョブ実行処理を終了する。
【０１１７】
以上詳細に説明したように画像処理システム９００では，ＮＦＣ方式の無線通信（近距離通信の一例）によって接続情報を受け渡す際に，ジョブの実行に利用される特定情報も受け渡す。これにより，ＷＦＤ方式の無線通信（遠距離通信の一例）が確立される前であっても，例えば特定情報としてＭＦＰ２００から装置情報が受け渡されることで，印刷設定ないしスキャン設定を確認する処理や最適な画像処理設定を決定する処理等，ジョブを完了させるための処理の少なくとも一部をモバイルデバイス１００で開始することができる。また，例えば特定情報としてモバイルデバイス１００からジョブ情報（ジョブの実行に伴う画像処理の情報の一例）が受け渡されることで，画像形成部１０ないし画像読取部１１のウォームアップやスキャンの一部等，ジョブを完了させるための少なくとも一部をＭＦＰ２００で開始することができる。このように，遠距離通信の確立を待つことなくジョブを完了させるための処理を開始することで，遠距離通信の確立を待ってジョブを完了させるための処理の実行を開始する構成と比較して，ジョブの完了までに必要な時間の短縮が期待できる。
【０１１８】
なお，本実施の形態は単なる例示にすぎず，本発明を何ら限定するものではない。したがって本発明は当然に，その要旨を逸脱しない範囲内で種々の改良，変形が可能である。例えば，ジョブを入力する情報処理装置は，無線通信が可能であり，画像処理装置を制御する機能を備えるものであればよく，モバイルデバイス１００としては，スマートフォン，タブレットＰＣ等が適用可能である。また，画像処理装置は，画像処理機能を備えるものであればよく，ＭＦＰ２００の他，コピー機，プリンタ，スキャナ，ＦＡＸ装置であってもよい。
【０１１９】
また，実施の形態では，近距離通信としてＮＦＣ方式を，遠距離通信としてＷＦＤ方式を採用し，ＮＦＣ方式からＷＦＤ方式へのハンドオーバーを行っているが，ハンドオーバーを実現する通信方式はこれらに限るものでなない。すなわち，通信距離が異なる２つの通信方式であればよく，他の通信方式としては，例えば，Bluetooth（登録商標），TransferJet，アクセスポイント経由で通信を行う非ダイレクトのＷｉＦｉであってもよい。
【０１２０】
また，実施の形態では，遠距離通信の確立を待つことなく開始される処理として，モバイルデバイス１００側にて最適な設定の決定や画像処理設定のユーザ確認や画像データの生成を行い，ＭＦＰ２００側にてスキャンあるいは画像形成部１０ないし画像読取部１１の起動動作を行っているが，これに限るものではない。すなわち，遠距離通信の確立を待つことなく開始される処理として，少なくとも１つの処理を開始する構成であればよく，他の処理は，遠距離通信の確立を待って開始する構成であってもよい。この場合，近距離通信によって送受信される情報を，開始される処理に応じて，ジョブ情報と装置情報との少なくとも一方を適宜選択すればよい。例えば，モバイルデバイス１００側で処理を開始し，ＭＦＰ２００側では処理を開始しない場合には，装置情報をＭＦＰ２００からモバイルデバイス１００に受け渡すが，ジョブ情報についてはモバイルデバイス１００からＭＦＰ２００に受け渡さなくてもよい。また，ＭＦＰ２００側で処理を開始し，モバイルデバイス１００側では処理を開始しない場合には，ジョブ情報をモバイルデバイス１００からＭＦＰ２００に受け渡すが，装置情報についてはＭＦＰ２００からモバイルデバイス１００に受け渡さなくてもよい。このような構成であっても少なくとも１つの処理の開始が早まり，ジョブの完了までに必要な時間の短縮が期待できる。
【０１２１】
また，実施の形態では，ＭＦＰ２００から装置情報が受け渡され，最適な画像処理設定を決定しているが，この処理は省略してもよい。すなわち，自動印刷モードや自動スキャンモードをサポートせず，最適な画像処理設定の自動選択を行わず，装置情報に基づく画像処理設定の選択をユーザやＭＦＰに委ねてもよい。
【０１２２】
また，実施の形態では，ＭＦＰ２００から装置情報として能力情報と状態情報との両方を組み合わせた情報が受け渡されるが，一方の情報のみを受け渡してもよい。すなわち，モバイルデバイス１００では一方のみの情報に基づいて最適な画像処理設定を決定してもよい。また，ＭＦＰ２００から能力情報と状態情報との両方を受け渡し，モバイルデバイス１００が両者を組み合わせた装置情報を生成してもよい。
【０１２３】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１２４】
２０    印刷アプリケーション（アプリ）
３７，５７  ＮＦＣインターフェース
３８，５８  無線ＬＡＮインターフェース
１００  モバイルデバイス
２００  ＭＦＰ
【図１】
2014090238.tif 000003
【図２】
2014090238.tif 000004
【図３】
2014090238.tif 000005
【図４】
2014090238.tif 000006
【図５】
2014090238.tif 000007
【図６】
2014090238.tif 000008
【図７】
2014090238.tif 000009
【図８】
2014090238.tif 000010
【図９】
2014090238.tif 000011
【図１０】
2014090238.tif 000012
【図１１】
2014090238.tif 000013
【図１２】
2014090238.tif 000014
【図１３】
2014090238.tif 000015
【図１４】
2014090238.tif 000016
【図１５】
2014090238.tif 000017
【図１６】
2014090238.tif 000018
【図１７】
2014090238.tif 000019